(57)【要約】  【課題】  湯水や熱媒体の保温時における貯留温度が安定しており、総合エネルギー効率が高い熱源装置、並びに、当該熱源装置を採用したコージェネレーションシステムの提供を目的とする。  【解決手段】  コージェネレーションシステム１は、加熱装置５を備えた加熱系統Ｈと、発電装置２を備えた発電系統Ｅとを備えている。加熱系統Ｈは、浴槽６内に貯留される湯水を加熱し、保温するための熱源として熱交換加熱装置１０と給湯装置１１とを備えている。熱交換加熱装置１０は、給湯装置１１よりも湯水の加熱能力が低い。コージェネレーションシステム１は、熱交換加熱装置１０による保温動作の開始温度たる排熱保温温度ｔｅが給湯装置１１によって保温動作を行う際の保温開始温度である通常保温温度ｔｎよりも高温に設定されている。また、熱交換加熱装置１０によって保温動作を行う際の遅延時間Ｌｅは、給湯装置１１によって保温動作を行う際の遅延時間Ｌｎよりも短時間に設定されている。【選択図】  図３
2005207699.tif 000002
【特許請求の範囲】
【請求項１】
湯水または熱媒体を加熱する複数の熱源手段と、当該熱源手段により加熱された湯水または熱媒体を貯留する貯留手段と、貯留手段に貯留されている湯水または熱媒体の貯留温度を検知する温度検知手段とを有し、貯留温度が所定の設定温度に達した後、湯水または熱媒体を保温する保温動作を断続的あるいは連続的に行うものであり、当該保温動作は、所定の遅延時間を経た後に熱源手段を作動させるものであり、前記複数の熱源手段は、少なくとも湯水または熱媒体の加熱能力が低い低能力熱源手段と、当該低能力熱源手段よりも加熱能力が高い高能力熱源手段とを具備しており、低能力熱源手段により保温動作を行う場合の遅延時間は、高能力熱源手段を用いて保温動作を行う場合の遅延時間よりも短いことを特徴とする加熱装置。
【請求項２】
湯水または熱媒体を加熱する複数の熱源手段と、当該熱源手段により加熱された湯水または熱媒体が供給される負荷手段と、負荷手段に供給あるいは排出される湯水または熱媒体の液温を検知する温度検知手段とを有し、供給温度が所定の設定温度に達した後、湯水または熱媒体を保温する保温動作を断続的あるいは連続的に行うものであり、当該保温動作は、所定の遅延時間を経た後に熱源手段を作動させるものであり、前記複数の熱源手段は、少なくとも湯水または熱媒体の加熱能力が低い低能力熱源手段と、当該低能力熱源手段よりも加熱能力が高い高能力熱源手段とを具備しており、低能力熱源手段により保温動作を行う場合の遅延時間は、高能力熱源手段を用いて保温動作を行う場合の遅延時間よりも短いことを特徴とする加熱装置。
【請求項３】
一又は複数の熱源手段は、保温動作中に貯留温度あるいは液温が所定の加熱開始温度以下になることを条件として湯水または熱媒体の加熱を開始し、低能力熱源手段により加熱を行う場合の加熱開始温度は、高能力熱源手段を用いて加熱を行う場合の加熱開始温度よりも高いことを特徴とする請求項１または２に記載の加熱装置。
【請求項４】
湯水または熱媒体を加熱する複数の熱源手段と、当該熱源手段により加熱された湯水または熱媒体を貯留する貯留手段と、貯留手段に貯留されている湯水または熱媒体の貯留温度を検知する温度検知手段とを有し、貯留温度が所定の設定温度に達した後、湯水または熱媒体を保温する保温動作を断続的あるいは連続的に行うものであり、前記熱源手段は、保温動作中に貯留温度が所定の加熱開始温度以下になることを条件として湯水または熱媒体の加熱を開始するものであり、低能力熱源手段により加熱を行う場合の加熱開始温度は、高能力熱源手段を用いて加熱を行う場合の加熱開始温度よりも高いことを特徴とする加熱装置。
【請求項５】
湯水または熱媒体を加熱する複数の熱源手段と、当該熱源手段により加熱された湯水または熱媒体が供給される負荷手段と、負荷手段に供給あるいは排出される湯水または熱媒体の液温を検知する温度検知手段とを有し、液温が所定の設定温度に達した後、湯水または熱媒体を保温する保温動作を断続的あるいは連続的に行うものであり、前記熱源手段は、保温動作中に液温が所定の加熱開始温度以下になることを条件として湯水または熱媒体の加熱を開始するものであり、低能力熱源手段により加熱を行う場合の加熱開始温度は、高能力熱源手段を用いて加熱を行う場合の加熱開始温度よりも高いことを特徴とする加熱装置。
【請求項６】
貯留手段は、浴槽であることを特徴とする請求項１，３，４のいずれかに記載の加熱装置。
【請求項７】
負荷手段は、暖房用放熱器であることを特徴とする請求項２，３，５のいずれかに記載の加熱装置。
【請求項８】
低能力加熱手段は、発電に伴い発生する熱エネルギーの供給を受けて湯水または熱媒体を加熱するものであることを特徴とする請求項１乃至７のいずれかに記載の加熱装置。
【請求項９】
低能力加熱手段は、熱機関において発生する排熱を利用して湯水または熱媒体を加熱するものであることを特徴とする請求項１乃至８のいずれかに記載の加熱装置。
【請求項１０】
低能力加熱手段は、熱エネルギーと、他の形態のエネルギーとを放出することを特徴とする請求項１乃至９のいずれかに記載の加熱装置。
【請求項１１】
請求項１乃至１０のいずれかに記載の加熱装置を備えたことを特徴とするコージェネレーションシステム。
【発明の詳細な説明】
【技術分野】
【０００１】
本発明は、複数の熱源手段を具備した加熱装置、並びに、当該加熱装置を具備したコージェネレーションシステムに関する。
【背景技術】
【０００２】
従来より、下記特許文献１に示すようなコージェネレーションシステムがある。この種のコージェネレーションシステムの多くは、燃料電池やガスエンジン等を備えた発電装置と、この発電装置による発電時に発生する排熱を熱源として湯水や熱媒体の加熱を行う加熱装置（排熱加熱装置）と、加熱された湯水や熱媒体を貯留する貯留手段とを備えている。従来技術のコージェネレーションシステムは、燃料電池やガスエンジンにおいて発生する排熱が熱交換器等の加熱装置において回収されるため、熱エネルギーのロスが少なく、エネルギー効率が高い。
【特許文献１】特開２００３−５６９０９号公報
【発明の開示】
【発明が解決しようとする課題】
【０００３】
近年、上記したようなコージェネレーションシステムが家庭等にも導入されつつあるが、家庭等では電力の消費量が少なく、燃料電池やガスエンジンにおいて発生する排熱量も少ない。そのため、従来技術のコージェネレーションシステムは、電力の消費量が少ない場所に設置された場合、排熱加熱装置だけでは湯水や熱媒体の加熱を十分に行えない。従って、従来技術のコージェネレーションシステムは、排熱加熱装置の加熱能力を補助すべく公知の給湯装置等を補助熱源装置として設けた構成とされている。
【０００４】
上記したように、排熱加熱装置は湯水や熱媒体の加熱能力が低い。そのため、貯留手段に貯留された高温の湯水や熱媒体の保温用の熱源として排熱加熱装置を採用すると、設定温度から貯留温度が低下した湯水や熱媒体を設定温度に戻すのに相当の時間を要し、貯留温度が不安定になってしまうという問題があった。
【０００５】
さらに、排熱加熱装置の補助熱源装置として採用されている給湯装置等を湯水や熱媒体の保温のために作動させる場合、これに要する燃料の分だけエネルギーが浪費されてしまい、コージェネレーションシステムの総合エネルギー効率が低下してしまうという問題があった。
【０００６】
上記した問題を解決すべく、本発明は、湯水や熱媒体の保温時における貯留温度が安定しており、総合エネルギー効率が高い熱源装置、並びに、当該熱源装置を採用したコージェネレーションシステムの提供を目的とする。
【課題を解決するための手段】
【０００７】
上記した課題を解決すべく提供される請求項１に記載の発明は、湯水または熱媒体を加熱する複数の熱源手段と、当該熱源手段により加熱された湯水または熱媒体を貯留する貯留手段と、貯留手段に貯留されている湯水または熱媒体の貯留温度を検知する温度検知手段とを有し、貯留温度が所定の設定温度に達した後、湯水または熱媒体を保温する保温動作を断続的あるいは連続的に行うものであり、当該保温動作は、所定の遅延時間を経た後に熱源手段を作動させるものであり、前記複数の熱源手段は、少なくとも湯水または熱媒体の加熱能力が低い低能力熱源手段と、当該低能力熱源手段よりも加熱能力が高い高能力熱源手段とを具備しており、低能力熱源手段により保温動作を行う場合の遅延時間は、高能力熱源手段を用いて保温動作を行う場合の遅延時間よりも短いことを特徴とする加熱装置である。
【０００８】
本発明の加熱装置は、湯水や熱媒体の加熱能力が異なる低能力熱源手段と高能力熱源手段とを備えている。高能力熱源手段は、加熱能力が高く、単位時間あたりに湯水や熱媒体に対して付与できる熱エネルギーが大きい。そのため、高能力熱源手段によれば、加熱動作の停止中に湯水や熱媒体の貯留温度が多少低下しても迅速に所定の設定温度まで加熱し、保温できる。一方、高能力熱源手段の加熱能力が大きい場合は、貯留温度が設定温度に近い状態で加熱を行うと、貯留温度が設定温度を超えてしまい、却って保温温度が脈動するおそれがある。従って、保温動作中に湯水や熱媒体の加熱を高能力熱源手段で行う場合は、貯留温度が設定温度からある程度離れた時点で加熱を開始することが望ましい。
【０００９】
一方、低能力熱源手段は、高能力熱源手段よりも加熱能力が低いため、湯水や熱媒体の加熱に要する時間は、高能力熱源手段で加熱する場合よりも長くなる。そのため、低能力熱源手段によって保温動作を行う場合、貯留温度が設定温度から大きく低下しないうちに湯水や熱媒体の加熱を行わないと貯留温度を設定温度に戻すのに要する時間が長くなり、貯留温度が不安定になるおそれがある。従って、保温動作中に湯水や熱媒体の加熱を低能力熱源手段で行う場合は、高能力熱源手段を用いて加熱する場合よりも設定温度に近い温度で加熱を開始することが望ましい。
【００１０】
本発明の加熱装置では、低能力熱源手段によって保温動作を行う場合の遅延時間が高能力熱源手段によって保温動作を行う場合よりも短時間に調整されるため、低能力熱源手段が作動し始める温度は、高能力熱源手段が作動を開始する温度よりも高い。そのため、本発明によれば、保温動作中に低下した貯留温度が設定温度まで回復するのに要する時間が、保温動作に採用される熱源手段の加熱能力の大小にかかわらず略均一な加熱装置を提供できる。
【００１１】
上記したように、本発明の加熱装置は、低能力熱源手段あるいは高能力熱源手段のうちどちらを熱源手段として採用して保温動作を行うのかによって、熱源手段の作動までの遅延時間が異なる。さらに詳細には、低能力熱源手段により保温動作を行う場合の遅延時間は、高能力熱源手段によって保温動作を行う場合よりも短い。そのため、低能力熱源手段を用いて保温動作を行う場合は、貯留温度がさほど低下しないうちに湯水や熱媒体の加熱を開始し、貯留温度をほぼ一定に維持できる。従って、本発明によれば、加熱能力の小さな低能力熱源手段であっても、湯水や熱媒体の貯留温度をほぼ一定に維持でき、熱エネルギーを有効利用可能な加熱装置を提供できる。
【００１２】
また逆に、高能力熱源手段により保温動作を行う場合は、低能力熱源手段によって保温動作を行う場合よりも遅延時間が長いため、湯水や熱媒体の加熱は貯留温度がある程度低下してから行われる。そのため、加熱能力の高い高能力熱源手段によって保温動作を行っても貯留温度の脈動等が殆ど起こらない。従って、本発明によれば、保温動作において使用される加熱能力の大小にかかわらず貯留温度の変動が殆ど起こらない加熱装置を提供できる。
【００１３】
また、同様の課題を解決すべく提供される請求項２に記載の発明は、湯水または熱媒体を加熱する複数の熱源手段と、当該熱源手段により加熱された湯水または熱媒体が供給される負荷手段と、負荷手段に供給あるいは排出される湯水または熱媒体の液温を検知する温度検知手段とを有し、液温が所定の設定温度に達した後、湯水または熱媒体を保温する保温動作を断続的あるいは連続的に行うものであり、当該保温動作は、所定の遅延時間を経た後に熱源手段を作動させるものであり、前記複数の熱源手段は、少なくとも湯水または熱媒体の加熱能力が低い低能力熱源手段と、当該低能力熱源手段よりも加熱能力が高い高能力熱源手段とを具備しており、低能力熱源手段により保温動作を行う場合の遅延時間は、高能力熱源手段を用いて保温動作を行う場合の遅延時間よりも短いことを特徴とする加熱装置である。
【００１４】
本発明および以下に記す発明において、「負荷手段に供給あるいは排出される湯水または熱媒体」とは負荷手段に流出入する湯水や熱媒体に加えて、負荷手段内を流れる湯水や熱媒体を加えた概念である。従って、本発明が備える温度検知手段は、負荷手段に流入あるいは負荷手段から流出する湯水や熱媒体の液温を測定するものであっても、負荷手段内の液温を測定するものであってもよい。
【００１５】
本発明の加熱装置についても、加熱能力の異なる低能力熱源手段と、高能力熱源手段とを備えた構成となっている。高能力熱源手段は、加熱能力が高く、短時間で湯水や熱媒体を所定の温度まで加熱できる反面、設定温度に近い温度の湯水や熱媒体の加熱を行うとこの温度が設定温度を越えてしまい、負荷手段へ供給される湯水や熱媒体の液温が却って脈動する可能性がある。従って、高能力熱源手段は、負荷手段への液温が設定温度からある程度離れた状態で加熱を開始することが望ましい。
【００１６】
一方、低能力熱源手段は、高能力熱源手段よりも加熱能力が低いため、液温が設定温度付近の状態で加熱動作を行っても液温の脈動が起こらない。その反面、低能力熱源手段は、湯水や熱媒体の加熱に要する時間が高能力熱源手段で加熱する場合よりも長くなる傾向にある。そのため、低能力熱源手段で湯水や熱媒体を加熱する場合は、液温が設定温度から大きく離れないうちに加熱を開始することが望ましい。
【００１７】
上記したように、本発明の加熱装置では、低能力熱源手段による保温動作時の遅延時間が高能力熱源手段によって保温動作を行う場合よりも短時間とされている。そのため、低能力熱源手段の作動開始温度は、高能力熱源手段の作動開始温度よりも高温である。従って、本発明によれば、保温動作中に低下した液温が設定温度まで回復するのに要する時間が、保温動作に採用される熱源手段の加熱能力の大小にかかわらず略均一であり、低能力熱源手段および高能力熱源手段のいずれをもって保温動作を行っても負荷手段への液温の脈動が殆ど起こらない加熱装置を提供できる。
【００１８】
請求項３に記載の発明は、一又は複数の熱源手段が、保温動作中に液温あるいは貯留温度あるいは液温が所定の加熱開始温度以下になることを条件として湯水または熱媒体の加熱を開始し、低能力熱源手段により加熱を行う場合の加熱開始温度が、高能力熱源手段を用いて加加熱を行う場合の加熱開始温度よりも高いことを特徴とする請求項１または２に記載の加熱装置である。
【００１９】
上記したように、低能力熱源手段は、高能力熱源手段に比べて湯水や熱媒体の加熱能力に劣り、加熱に要する時間が長い。本発明の加熱装置は、低能力熱源手段により保温動作を行う場合に加熱開始の指標となる加熱開始温度が高能力熱源手段により保温動作を行う場合の加熱開始温度よりも高い。そのため、本発明の加熱装置は、低能力熱源手段により保温動作を行う場合であっても、貯留温度や液温が設定温度に回復するまでに要する時間が高能力熱源手段によって保温動作を行う場合と大きく違わない。従って、本発明によれば、熱源手段の加熱能力の大小にかかわらず保温動作時の湯水や熱媒体の貯留温度や液温をほぼ一定に維持可能な加熱装置を提供できる。
【００２０】
請求項４に記載の発明は、湯水または熱媒体を加熱する複数の熱源手段と、当該熱源手段により加熱された湯水または熱媒体を貯留する貯留手段と、貯留手段に貯留されている湯水または熱媒体の貯留温度を検知する温度検知手段とを有し、貯留温度が所定の設定温度に達した後、湯水または熱媒体を保温する保温動作を断続的あるいは連続的に行うものであり、前記熱源手段は、保温動作中に貯留温度が所定の加熱開始温度以下になることを条件として湯水または熱媒体の加熱を開始するものであり、低能力熱源手段により加熱を行う場合の加熱開始温度は、高能力熱源手段を用いて加熱を行う場合の加熱開始温度よりも高いことを特徴とする加熱装置である。
【００２１】
本発明の加熱装置は、湯水や熱媒体の加熱能力が比較的低い低能力熱源手段と、加熱能力が比較的高い高能力熱源手段を備えている。高能力熱源手段は、加熱能力が比較的高いため、貯留温度が設定温度からある程度離れてから湯水や熱媒体の加熱を開始しても貯留温度を直ちに設定温度まで回復させ、維持させることができる。一方、低能力熱源手段は、加熱能力が低い分湯水や熱媒体を急激に加熱することは困難であるが、貯留温度を緩やかに昇温させることができる。
【００２２】
かかる特性に鑑み、本発明の加熱装置では、保温動作時の熱源として低能力熱源手段を採用する場合の加熱開始温度を高能力熱源手段により保温動作を行う場合の加熱開始温度よりも高く設定されている。換言すれば、本発明の加熱装置では、低能力熱源手段を採用する場合における設定温度に対する加熱開始温度の偏差が、高能力熱源手段を採用する場合よりも小さい。そのため、本発明によれば、低能力熱源手段を用いて保温動作を行う場合であっても、高能力熱源手段により保温動作を行う場合と同様に貯留温度を正確かつ迅速に設定温度まで回復させることができ、保温動作中における貯留温度の変動を最小限に抑制できる。
【００２３】
また、同様の課題を解決すべく提供される請求項５に記載の発明は、湯水または熱媒体を加熱する複数の熱源手段と、当該熱源手段により加熱された湯水または熱媒体が供給される負荷手段と、負荷手段に供給あるいは排出される湯水または熱媒体の液温を検知する温度検知手段とを有し、液温が所定の設定温度に達した後、湯水または熱媒体を保温する保温動作を断続的あるいは連続的に行うものであり、前記熱源手段は、保温動作中に液温が所定の加熱開始温度以下になることを条件として湯水または熱媒体の加熱を開始するものであり、低能力熱源手段により加熱を行う場合の加熱開始温度は、高能力熱源手段を用いて加熱を行う場合の加熱開始温度よりも高いことを特徴とする加熱装置である。
【００２４】
本発明の加熱装置は、上記した低能力熱源手段および高能力熱源手段の特性を考慮したものである。従って、本発明の加熱装置は、低能力加熱手段および高能力加熱手段のいずれを用いて保温動作を行っても、液温を同様の速度および精度で設定温度にもどすことができ、保温動作中に負荷手段に供給あるいは排出される湯水や熱媒体の液温の変動が少ない。
【００２５】
また、上記請求項１，３，４のいずれかに記載の加熱装置は、貯留手段が浴槽であってもよい。（請求項６）
【００２６】
かかる構成によれば、浴槽内に貯留される湯水を適温に保温可能であり、入浴時の快適性が高い加熱装置を提供できる。
【００２７】
また、上記請求項２，３，５のいずれかに記載の加熱装置は、負荷手段が暖房用放熱器であってもよい。（請求項７）
【００２８】
かかる構成によれば、暖房装置に供給される湯水や熱媒体の温度を適温に保温可能であり、暖房能力を略一定に維持可能な加熱装置を提供できる。
【００２９】
請求項８に記載の発明は、低能力加熱手段が、発電に伴い発生する熱エネルギーの供給を受けて湯水または熱媒体を加熱するものであることを特徴とする請求項１乃至７のいずれかに記載の加熱装置である。
【００３０】
かかる構成によれば、発電に伴い発生する熱エネルギーを貯留手段に貯留される湯水や熱媒体の加熱に有効利用でき、総合エネルギー効率の高い加熱装置を提供できる。
【００３１】
本発明の加熱装置が備える低能力加熱手段は、発電時に発生する熱エネルギーを利用して湯水や熱媒体を加熱するものであるため、低能力加熱手段の加熱能力は、発電量に依存して変動するおそれがある。本発明の加熱装置は、低能力加熱手段に加えて、これよりも加熱能力が高い高能力加熱手段を備えている。そのため、例えば発電量が少ない場合のように低能力熱源手段の加熱能力が著しく小さい場合であっても、高能力熱源手段によって湯水や熱媒体の加熱を行うことにより保温動作中における貯留温度の変動を最小限に抑制できる。
【００３２】
請求項９に記載の発明は、低能力加熱手段が、熱機関において発生する排熱を利用して湯水または熱媒体を加熱するものであることを特徴とする請求項１乃至８のいずれかに記載の加熱装置である。
【００３３】
かかる構成によれば、熱機関において発生する排熱が持つ熱エネルギーを湯水や熱媒体の加熱に有効利用でき、総合エネルギー効率の高い加熱装置を提供できる。
【００３４】
本発明の加熱装置は、上記したように低能力加熱手段に加えて、これよりも加熱能力が高い高能力加熱手段を有する。そのため、熱機関の使用が停止している場合のように、低能力加熱手段の加熱能力が低い場合であっても、高能力熱源手段によって保温動作を行うことにより貯留手段に貯留されている湯水や熱媒体の温度変動を最小限に抑制できる。
【００３５】
上記した加熱装置において採用されている低能力加熱手段は、熱エネルギーと、他の形態のエネルギーとを放出することを特徴とするものであってもよい。（請求項１０）
【００３６】
また、請求項１１に記載の発明は、上記請求項１乃至１０のいずれかに記載の加熱装置を備えたことを特徴とするコージェネレーションシステムである。
【００３７】
かかる構成によれば、保温動作時における貯留手段に貯留されている湯水や熱媒体の貯留温度が安定で、総合エネルギー効率の高いコージェネレーションシステムを提供できる。
【発明の効果】
【００３８】
本発明によれば、保温動作中における湯水や熱媒体の温度変動が小さく、熱源手段において発生する熱エネルギーを効率よく回収可能な加熱装置、並びに、総合エネルギー効率の高いコージェネレーションシステムを提供できる。
【発明を実施するための最良の形態】
【００３９】
続いて、本発明の一実施形態である加熱装置および当該加熱装置を具備したコージェネレーションシステムについて図面を参照しながら詳細に説明する。図１は、本実施形態のコージェネレーションシステムおよび加熱装置の主要部の作動原理図である。また、図２，３は、図１に示すコージェネレーションシステムおよび加熱装置の動作を示すフローチャートである。図４，５は、図１に示すコージェネレーションシステムおよび加熱装置が保温動作時を行う場合のタイムチャートである。
【００４０】
図１において、１は本実施形態のコージェネレーションシステムである。コージェネレーションシステム１は、大別して発電を行う発電系統Ｅと、湯水（熱媒体）を加熱する加熱系統Ｈとを備えた構成とされている。
【００４１】
発電系統Ｅは、ガスエンジンや燃料電池等の発電装置２を備えて構成されるものである。発電系統Ｅは、コージェネレーションシステム１が設置されている家庭等に電力を供給するものである。発電系統Ｅは、発電装置２を冷却し、発電に伴って発生した排熱を回収する湯水あるいは熱媒体が流通する熱回収流路３を備えている。
【００４２】
熱回収流路３は、発電装置２と熱交換加熱装置１０（低能力熱源手段）との間に熱媒体を循環させる流路であり、その中途にバイパス流路８がある。また、熱回収流路３は、バイパス流路８よりも熱媒体の流れ方向上流側に熱媒体を循環させる排熱ポンプ４があり、バイパス流路８との分岐部に三方弁９が設置されている。三方弁９は、発電装置２側から出る熱媒体の流路を調整するものである。即ち、三方弁９を調整することにより、熱回収流路３内を流れる熱媒体をバイパス流路８側あるいは熱交換加熱装置１０側に選択的に供給できる。
【００４３】
加熱系統Ｈは、熱源手段として熱交換加熱装置１０と、給湯装置１１（高能力熱源手段）とを有し、これらによって加熱された湯水を浴槽６（貯留手段）に貯留する加熱装置５を備えた構成である。加熱装置５は、浴槽６と、浴槽６内に出入りする湯水が流れる循環流路７とを備えている。循環流路７は、中途に湯水を加熱する熱交換加熱装置１０および給湯装置１１と、湯水を循環させるための循環ポンプ１２と、浴槽６から出る湯水の温度を検知する温度センサ１３（温度検知手段）とを備えている。
【００４４】
熱交換加熱装置１０には、上記した熱回収流路３および循環流路７が接続されている。熱交換加熱装置１０は、循環流路７内を流れる湯水を熱回収流路３内を流れる高温の湯水や熱媒体との熱交換によって加熱するものである。即ち、熱交換加熱装置１０は、発電装置２が発電中であって、三方弁９が調整されて発電装置２を冷却する熱媒体が熱交換加熱装置１０側に供給されると循環流路７内を流れる湯水を加熱可能な状態となる。給湯装置１１は、燃料ガスや液体燃料を燃焼して湯水を加熱するものであり、従来公知の給湯装置等と同様の構成とされている。給湯装置１１は、熱交換加熱装置１０よりも湯水の加熱能力が高い。
【００４５】
循環ポンプ１２は、循環流路７の上流側に設置されており、図１に矢印で示すように浴槽６内の湯水を圧送し、循環させるものである。循環ポンプ１２が作動すると、浴槽６内の湯水は、熱交換加熱装置１０、給湯装置１１の順で通過し、浴槽６に戻る。
【００４６】
コージェネレーションシステム１は、発電系統Ｅおよび加熱系統Ｈの作動を制御する制御手段２０を有する。制御手段２０は、ＣＰＵを中心として構成されるものであり、ＲＡＭ、ＲＯＭ、Ｉ／Ｏポート、および、アナログのセンサ信号をデジタル信号に変換するＡ／Ｄ変換回路、あるいは、生成されたデジタル制御信号をアナログ制御信号に変換するＤ／Ａ変換回路などを備えている。制御手段２０は、温度センサ１３等の検知手段の検知信号や、リモコン２１等を介して入力される入力信号を参照し、発電装置２や排熱ポンプ４、三方弁９、給湯装置１１、循環ポンプ１２等を動作させるものであり、コージェネレーションシステム１の動作全般を司るものである。制御手段２０は、制御に用いる各種の判別基準値や制御プログラム等を予めＲＯＭに格納しており、ＣＰＵで上記した各検知手段の検知信号を随時参照し、制御プログラムに従って処理を行う。
【００４７】
制御手段２０は、発電装置２に接続された電力負荷（図示せず）や浴槽６内に貯留される湯水の設定温度に応じて発電系統Ｅおよび加熱系統Ｈを動作させる。本発明のコージェネレーションシステム１は、制御手段２０による加熱系統Ｈの制御方法に特徴を有する。以下、加熱系統Ｈの制御方法について図２のフローチャートを参照しながら詳細に説明する。
【００４８】
制御手段２０は、浴槽６内に湯水を落とし込む場合や、浴槽６内の湯水の追い焚きを行う場合、先ずステップ１−１において熱交換加熱装置１０への熱エネルギーの供給源として機能する発電装置２が動作しているかを確認する。即ち、制御手段２０は、ステップ１−１において発電装置２が発電中であり、熱交換加熱装置１０への熱エネルギーの供給が可能か否かを確認する。
【００４９】
ステップ１−１において発電装置２が発電を行っていない場合は、排熱ポンプ４を起動しても熱交換加熱装置１０は湯水の加熱を行えない。そこで、ステップ１−１において発電を行っていないことが確認されると、制御手段２０は、制御フローをステップ１−７に進め、循環ポンプ１２を起動して浴槽６内の湯水の循環を開始すると共に、ステップ１−８において給湯装置１１の燃焼作動を開始させ、これによる湯水の加熱を開始する。その後、制御手段２０は、制御フローをステップ１−５に進める。
【００５０】
一方、ステップ１−１において発電装置２が発電中である場合、発電装置２を冷却すると共に発電に伴って発生する排熱から熱エネルギーを回収すべく、ステップ１−２において排熱ポンプ４を起動する。排熱ポンプ４の起動に伴い、発電装置２の放出する熱エネルギーが熱媒体を介して熱交換加熱装置１０に供給される。またこれと同時に、制御手段２０は、循環ポンプ１２を起動し、浴槽６内に貯留されている湯水を循環流路７内に循環させる。
【００５１】
排熱ポンプ４および循環ポンプ１２が起動したことが確認されると、制御手段２０は、ステップ１−３において浴槽６内の湯水の温度（湯温ｔ）が所定の加熱基準温度ｔｕ未満であるか否かを確認する。ここで、加熱基準温度ｔｕとは、熱交換加熱装置１０のみによる加熱で浴槽６内の湯水を所定の設定温度ｔｓに加熱可能と想定される温度である。加熱基準温度ｔｕは、制御手段２０に予め設定された温度であっても、浴槽６内に貯留されている湯水の量や湯温ｔ等を勘案して導出した温度であってもよい。ステップ１−３において浴槽６内の湯水が加熱基準温度ｔｕよりも低温である場合、熱交換加熱装置１０の加熱能力では湯温ｔを設定温度ｔｓまで昇温することが困難であると想定される。そこで、制御手段２０は、湯温ｔが加熱基準温度ｔｕよりも低温である場合は給湯装置１１によって湯水の加熱を行うべきであると判断し、ステップ１−４において給湯装置１１による湯水の加熱動作を開始して制御フローをステップ１−５に進める。一方、ステップ１−３において浴槽６内の湯温ｔが加熱基準温度ｔｕ以上である場合、給湯装置１１による加熱の必要がないため、制御フローがステップ１−５へと進行する。
【００５２】
制御フローがステップ１−５に進行すると、制御手段２０は、浴槽６内の湯温ｔが設定温度ｔｓ以上であるか否かを確認する。ここで、湯温ｔが設定温度ｔｓ未満である場合、制御手段２０は制御フローをステップ１−１に戻し加熱を継続する。一方、ステップ１−５において湯温ｔが設定温度ｔｓ以上になっていることが確認されると、制御手段２０は、制御フローをステップ１−６に進める。制御手段２０は、ステップ１−６において給湯装置１１が燃焼作動中である場合は燃焼作動を停止させる。その後、制御手段２０は、制御フローを図３のステップ２−１以降の保温段階に進め、浴槽６内の湯水の保温動作を行う。
【００５３】
浴槽６内の湯水が所定の設定温度ｔｓに達すると、制御手段２０は、図３のフローチャートに従って浴槽６内の湯水の保温動作を行う。コージェネレーションシステム１が保温動作を行う場合、制御手段２０は、図４や図５のように浴槽６の湯温ｔが設定温度ｔｓ以上になった時点を基準として所定の保温周期Ｌを設定し、その保温周期Ｌの開始時から所定の遅延時間Ｌｅ，Ｌｎが経過した後に循環ポンプ１２を起動して循環流路７内に湯水を循環させ、湯温ｔの測定を行う。制御手段２０は、湯温ｔが保温周期Ｌの間に所定の温度（排熱保温温度ｔｅあるいは通常保温温度ｔｎ）を下回ることを条件として湯水を再加熱する。再加熱により湯温ｔが設定温度ｔｓに達すると、再度保温周期Ｌを設定し直し、同様の手順で保温動作を繰り返す。また、保温周期Ｌの間に湯温ｔが排熱保温温度ｔｅや通常保温温度ｔｎを下回らない場合、制御手段２０は、保温周期Ｌを再度設定し直し、保温動作を継続する。以下、コージェネレーションシステム１の動作状態が保温段階に移行した際に行われる保温動作について図３に示すフローチャートを参照しながら詳細に説明する。
【００５４】
コージェネレーションシステム１の動作状態が保温段階に移行すると、制御手段２０は、ステップ２−１において発電装置２が発電中であるかを確認する。ここで、発電装置２が発電中である場合は制御フローが以下に示すステップ２−２に進行し、発電を行っていない場合は制御フローが後述するステップ２−１３へと進行する。
【００５５】
制御フローがステップ２−２に移行すると、制御手段２０は、排熱ポンプ４を作動させ、発電装置２を冷却する。その後、制御手段２０は、ステップ２−３において制御手段２０が備える検温タイマ（図示せず）をリセットする。ここで、検温タイマは、リセットされた後の経過時間を計時するものである。
【００５６】
ステップ２−３で検温タイマがリセットされると、制御手段２０は、ステップ２−４で検温タイマがカウントを開始した計時時間Ｌｃが遅延時間Ｌｅに達するまで待機する。即ち、図４のように、循環ポンプ１２を停止させると共に、発電装置２側から熱交換加熱装置１０への熱媒体の供給を停止して熱交換加熱装置１０を実質的に加熱停止状態とする。
【００５７】
ステップ２−４において計時時間Ｌｃが遅延時間Ｌｅに達すると、制御フローはステップ２−５に進行し、循環ポンプ１２が起動する。循環ポンプ１２が起動すると、循環流路７内を浴槽６内の湯水が循環し始め、温度センサ１３による湯温ｔの測定が開始される。
【００５８】
ステップ２−５において湯温ｔの測定を開始してからステップ２−７において検温タイマの計時時間Ｌｃが保温周期Ｌに達するまでの間、制御手段は、ステップ２−６において浴槽６内の湯温ｔが排熱保温温度ｔｅ未満まで低下しているかを確認する。ここで、湯温ｔが排熱保温温度ｔｅ以上である場合、制御手段２０は浴槽６の湯温ｔが十分高く、湯水の加熱を行う必要がないものと判断し、検温タイマによる計時が完了するまで湯温ｔの検知を継続する。図４の区間Ｄに示すように、浴槽６内の湯温ｔが排熱保温温度ｔｅのまま保温周期Ｌを迎えた場合、制御手段２０は、ステップ２−８において循環ポンプ１２を停止させる。その後、制御フローはステップ２−１に戻り、保温動作が継続される。
【００５９】
一方、ステップ２−６において湯温ｔが排熱保温温度ｔｅ未満であることが検知されると、検知手段２０は、制御フローをステップ２−９に進め、検温タイマをリセットして計時を中断する。これと同時に、制御手段２０は、ステップ２−９において三方弁９を熱交換加熱装置１０側に開状態となるように調整する。これにより、発電装置２において発生する排熱により加熱された高温の熱媒体が熱交換加熱装置１０側に流入する。即ち、発電装置２において発生している熱エネルギーが、熱回収流路３内を流れる熱媒体を介して熱交換加熱装置１０に供給され、熱交換加熱装置１０による湯水の加熱が開始される。
【００６０】
ステップ２−１０において三方弁９が調整され、熱交換加熱装置１０に熱媒体が供給されると、循環流路７内を循環する湯水は、熱交換加熱装置１０において熱回収流路３内を流れる熱媒体との熱交換により加熱され、高温になる。制御手段２０は、循環ポンプ１２の起動後、ステップ２−１１ａおよびステップ２−１１ｂにおいて湯温ｔを計測し、この湯温ｔが設定温度ｔｓ以上になるまで湯水の加熱を継続する。
【００６１】
さらに具体的に説明すると、ステップ２−１１ａにおいて湯温ｔが設定温度ｔｓ以上になったことが確認されると、制御手段２０は、ステップ２−１２において循環ポンプ１２を停止させ、浴槽６内の湯水の加熱を終了する。その後、制御手段２０は、図４の区間Ａ〜Ｃに示すように、上記した一連の制御フローに要した時間が保温周期Ｌ未満であっても制御フローをステップ２−１に戻し、保温周期Ｌを新たに設定し直して保温動作を継続する。
【００６２】
一方、ステップ２−１１ａにおいて湯温ｔが設定温度ｔｓ未満である場合、制御手段２０は、ステップ２−１１ｂにおいて湯温ｔが通常保温温度ｔｎ（ｔｅ＜ｔｎ）未満まで低下していないかを確認する。ここで、湯温ｔが通常保温温度ｔｎよりも低温である場合は、熱交換加熱装置１０の加熱能力よりも放熱量の方が大きく、湯温ｔが低下傾向にあるものと想定される。この場合、熱交換加熱装置１０のみの加熱では、湯温ｔが設定温度ｔｓから大きく離れてしまうおそれがある。そこで、ステップ２−１１ｂにおいて湯温ｔが通常保温温度ｔｎよりも低い場合は、熱交換加熱装置１０による湯水の加熱を継続したまま制御フローをステップ２−２１に進め、熱交換加熱装置１０よりも加熱能力の高い給湯装置１１による湯水の加熱を開始する。即ち、ステップ２−１１ｂにおいて湯温ｔが通常保温温度ｔｎ未満である場合、制御手段２０は、熱交換加熱装置１０および給湯装置１１の双方を稼働させ、湯水の加熱を行う。
【００６３】
制御装置２０は、給湯装置１１による湯水の加熱開始後、ステップ２−２２において湯温ｔが設定温度ｔｓ以上になったことが確認されるまで熱交換加熱装置１０および給湯装置１１の双方による湯水の加熱を継続する。ステップ２−２２において湯温ｔが設定温度ｔｓ以上に達したことが確認されると、制御手段２０は、ステップ２−２３において給湯装置１１の燃焼動作を停止させると共に、ステップ２−２４において循環ポンプ１２を停止させ、浴槽６内の湯水の加熱を終了する。ここで、制御手段２０は、上記した一連の制御フローに要した時間が保温周期Ｌ未満であっても制御フローをステップ２−１に戻し、保温周期Ｌを新たに設定し直して保温動作を継続する。
【００６４】
上記したステップ２−１において発電装置２が発電を行っていない場合は、排熱ポンプ４を作動させても発電装置２の排熱による湯水の加熱、即ち熱交換加熱装置１０における湯水の加熱は行えない。そこで、ステップ２−１において発電装置２が発電を行っていない場合、制御手段２０は、ステップ２−１３において排熱ポンプ４を停止させ、制御フローをステップ２−１４に進める。
【００６５】
制御手段２０は、ステップ２−１４において検温タイマをリセットし、保温周期Ｌの開始からの時間（計時時間Ｌｃ）を計時し始める。制御手段２０は、検温タイマがリセットされた後ステップ２−１５において計時時間Ｌｃが遅延時間Ｌｎに達するまで待機する。ここで、遅延時間Ｌｎは、熱交換加熱装置１０によって湯水を加熱する際の遅延時間Ｌｅよりも長時間に設定される。さらに詳細に説明すると、給湯装置１１は、熱交換加熱装置１０よりも湯水の加熱能力に優れ、湯温ｔが多少低下しても直ちに設定温度ｔｓまで加熱できる。その一方で、湯温ｔを検知するためには一定時間にわたって循環ポンプ１２を起動する必要があるため、これに要するエネルギー等の観点からすると循環ポンプ１２の起動時間を短くすることが望ましい。また、給湯装置１１は湯水の加熱能力が高いため、湯温ｔが設定温度ｔｓに近い状態で給湯装置１１を作動させると湯温ｔが設定温度ｔｓを越え、湯温ｔがかえって不安定になる可能性がある。そこで、制御手段２０は、ステップ２−１５において低能力熱源１１によって保温動作を行う場合の遅延時間Ｌｅよりも長い遅延時間Ｌｎが経過するのを待ち、その後ステップ２−１６において循環ポンプ１２を起動する。
【００６６】
ステップ２−１６において循環ポンプ１２が起動すると、制御手段２０は、温度センサ１３の検知信号に基づいて湯温ｔの計測を開始し、ステップ２−１７で湯温ｔが通常保温温度ｔｎ以上であるかを確認する。ここで、通常保温温度ｔｎは、給湯装置１１の作動の基準であり、熱交換加熱装置１０の作動の指標となる排熱保温温度ｔｅよりも低温に設定されている。即ち、通常保温温度ｔｎおよび排熱保温温度ｔｅは共に設定温度ｔｓよりも低温であり、設定温度ｔｓに対する通常保温温度ｔｎの偏差は、設定温度ｔｓに対する排熱保温温度ｔｅの偏差よりも大きい。これは、上記したように、給湯装置１１の加熱能力が熱交換加熱装置１０よりも湯水の加熱能力が高いためであり、新たに燃料ガスや液体燃料を燃焼することによるエネルギー消費を抑制すると共に、給湯装置１１の作動による湯水や熱媒体の過昇温等を防止することを意図したものである。
【００６７】
ステップ２−１７において湯温ｔが通常保温温度ｔｎ以上である場合、ステップ２−１８において計時時間Ｌｃが保温周期Ｌに達するまで湯温ｔの測定を継続する。ステップ２−１８において計時時間Ｌｃが保温周期Ｌに達した場合は、図５の区間Ｄに示すように浴槽６内の湯水の放熱速度が遅く、保温周期Ｌに渡って湯温ｔが設定温度ｔｓ近傍の高温であり、加熱の必要がない。そのため、制御手段２０は、ステップ２−１９において循環ポンプ１２を停止して湯温ｔの計測を中止し、制御フローをステップ２−１に戻す。
【００６８】
一方、上記したステップ２−１７において湯温ｔが通常保温温度ｔｎ未満に低下していることが確認されると、制御手段２０は、制御フローをステップ２−２０に進める。制御手段２０は、ステップ２−２０において検温タイマをリセットし、計時を中断させた状態で給湯装置１１による湯水の加熱を開始する。
【００６９】
ステップ２−２１において給湯装置１１が燃焼作動を開始すると、制御手段２０は、ステップ２−２２において温度センサ１３の検知信号に基づいて湯温ｔを検知する。ステップ２−２２において湯温ｔが所定の設定温度ｔｓ以上に加熱されたことが検知されると、制御手段２０は、ステップ２−２３において給湯装置１１の燃焼作動を停止し、ステップ２−２４において循環ポンプ１２を停止する。循環ポンプ１２が停止すると、図５の区間Ａ〜Ｃのように、上記した一連の制御フローに要した時間が保温周期Ｌ未満であっても制御フローをステップ２−１に戻して保温周期Ｌを新たに設定し直し、上記した制御フローに則って保温動作を継続する。
【００７０】
上記したように、コージェネレーションシステム１は、保温動作時に発電装置２が発電中である限りは熱交換加熱装置１０を作動させて保温動作を行う。コージェネレーションシステム１は、発電装置２が発電停止中であって熱交換加熱装置１０において湯水の加熱を行えない場合や、例え発電装置２が発電中で熱交換加熱装置１０における湯水の加熱が可能な場合であっても、湯水の放熱が速く湯温ｔが通常保温温度ｔｎを下回った場合のように、湯温ｔを設定温度ｔｓに維持するために給湯装置１１の加熱能力を必要とする場合に給湯装置１１を作動させるものである。そのため、上記した構成によれば、保温動作における給湯装置１１の作動が最小限で済み、保温動作に要するエネルギーを最小限に抑制できる。
【００７１】
また、コージェネレーションシステム１では、熱交換加熱装置１０によって保温動作を行う場合の遅延時間Ｌｅが給湯装置１１を使用した場合の遅延時間Ｌｎよりも短く、熱交換加熱装置１０の作動の指標となる排熱保温温度ｔｅが給湯装置１１の作動の指標となる通常保温温度ｔｎよりも高く設定されている。そのため、熱交換加熱装置１０によって保温動作を行う場合であっても、給湯装置１１によって保温動作を行う場合と同様に湯温ｔが安定しており、設定温度ｔｓへの回復速度も速い。
【００７２】
上記したコージェネレーションシステム１では、循環流路７に浴槽６が接続された例を例示したが、本発明はこれに限定されるものではなく、例えば浴槽６に代わって貯留タンク等のような何らかの貯留手段を接続した構成とすることも可能である。
【００７３】
上記実施形態では、図３に示す制御フローに基づいて保温動作を行う場合に湯温ｔの測定開始前に所定の遅延時間Ｌｅ，Ｌｎを設ける構成を例示したが、本発明はこれに限定されるものではなく、湯温ｔの計測を絶え間なく行う構成としてもよい。かかる構成によれば、ひとたび設定温度ｔｓまで加熱された湯水が放熱し低温になる前に加熱でき、湯温ｔの変動および給湯装置１１の燃焼作動に伴うエネルギー消費を最小限に抑制できる。また特に、上記したように、浴槽６に代わってファンコンベクターや床暖房装置のような負荷端末に湯水や熱媒体を供給して循環させる構成とする場合や、循環ポンプ１２を作動させなくても浴槽６内の湯温ｔを測定可能な場合のように湯温ｔの測定のために改めて循環ポンプ１２等を作動させる必要がなく、これに要するエネルギー消費を考慮する必要がない場合は、遅延時間を設けず湯温ｔの計測を絶え間なく行う構成としてもよい。
【００７４】
本実施形態のコージェネレーションシステム１は、浴槽６内の湯水を加熱するための熱源として熱交換加熱手段１０および給湯装置１１を一つずつ備えた構成であったが、本発明はこれに限定されるものではなく、熱交換加熱手段１０や給湯装置１１を多数備えたものや、これらの熱源装置と加熱能力の異なる熱源装置を備えたものであってもよい。なお、この場合であっても、各熱源装置の加熱能力等を考慮して保温動作時の遅延時間や加熱開始温度が調整されることが望ましい。
【００７５】
また、上記実施形態において、熱交換加熱装置１０は、発電装置２において発生する排熱により加熱された湯水や熱媒体との熱交換により循環流路７内を流れる湯水を加熱するものであったが、本発明はこれに限定されるものではなく、例えば太陽熱温水器（太陽熱温水パネル）等によって加熱された湯水や熱媒体と熱交換するものであってもよい。
【００７６】
上記実施形態では、浴槽６内の湯水が循環する循環流路７の中途に給湯装置１１や循環ポンプ１２を直列に配置した例を例示したが、本発明はこれに限定されるものではなく、例えば循環ポンプ１２を給湯装置１１に内蔵されている図示しないポンプとしても良い。また、上記実施形態のコージェネレーションシステム１は、循環流路７内を流れる湯水が必ず給湯装置１１内を通過する構成であったが、例えば図１に破線で示すように給湯装置１１を迂回するバイパス流路１５および三方弁１６を設け、必要に応じて給湯装置１１側に湯水を供給する構成とすることも可能である。かかる構成によれば、給湯装置１１の停止中に給湯装置１１内の熱交換器（図示せず）において循環流路７内を流れる湯水が放熱することを確実に防止でき、コージェネレーションシステム１のエネルギー効率をより一層向上できる。
【００７７】
また、コージェネレーションシステム１は、保温動作中に湯温ｔが所定の排熱保温温度ｔｅあるいは通常保温温度ｔｎを下回ることを条件として湯水の加熱を行うものであり、湯水の加熱が開始され、これにより湯温ｔが設定温度ｔｓに達すると先に設定された保温周期Ｌが完了する前であっても湯温ｔの測定および加熱を中断し、動作段階を保温周期Ｌの設定段階に戻して保温動作を行うものであったが、本発明はこれに限定されるものではない。さらに具体的には、コージェネレーションシステム１および加熱装置５は、一連の保温動作中に湯温ｔが設定温度ｔｓに達したとしても、保温周期Ｌが完了するまで保温動作を継続するものであってもよい。即ち、コージェネレーションシステム１および加熱装置５は、所定の保温周期Ｌで一連の保温動作を繰り返すものであってもよい。
【００７８】
また、コージェネレーションシステム１は、浴槽６に貯留されている湯温ｔを計測し、これに応じて熱交換加熱装置１０および給湯装置１１を作動させて保温するものであったが、本発明はこれに限定されるものではなく、例えば図６のように上記した浴槽６に代わってファンコンベクターや床暖房装置のような暖房用放熱器等の負荷端末５１に湯水や熱媒体等の液体を供給するコージェネレーションシステム５０であってもよい。この場合、制御装置２０は、コージェネレーションシステム１の場合に加熱動作の指標とされていた湯温ｔに代わって循環流路７に設けられた温度センサ１３によって検知される液温ｔ１や、温度センサ５２によって検知される負荷端末５１に流入する液温ｔ２、温度センサ５３によって検知される負荷端末５１内に滞留あるいは流通する液温ｔ３等のいずれか一つあるいはこれらの組み合わせに基づき、上記したのと同様の制御フローに基づいて液体の加熱を行う構成とすることができる。また、制御手段２０は、前記した液温ｔ１〜ｔ３を適宜用いて導出される情報に基づいて加熱動作を行うものであってもよい。
【図面の簡単な説明】
【００７９】
【図１】本発明の一実施形態であるコージェネレーションシステムおよび加熱装置の主要部を示す作動原理図である。
【図２】図１に示すコージェネレーションシステムおよび加熱装置の動作を示すフローチャートである。
【図３】図１に示すコージェネレーションシステムおよび加熱装置の保温動作を示すフローチャートである。
【図４】図１に示すコージェネレーションシステムおよび加熱装置が保温動作時を行う場合のタイムチャートである。
【図５】図１に示すコージェネレーションシステムおよび加熱装置が保温動作時を行う場合のタイムチャートである。
【図６】図１に示すコージェネレーションシステムの変形例の主要部を示す作動原理図である。
【符号の説明】
【００８０】
１，５０  コージェネレーションシステム
２  発電装置
５  加熱装置
６  浴槽
１０  熱交換加熱装置（低能力熱源手段）
１１  給湯装置（高能力熱源手段）
１３，５２，５３  温度センサ（温度検知手段）
２０  制御手段
【図１】
2005207699.tif 000003
【図２】
2005207699.tif 000004
【図３】
2005207699.tif 000005
【図４】
2005207699.tif 000006
【図５】
2005207699.tif 000007
【図６】
2005207699.tif 000008